(57)【要約】【課題】作業効率が高い描画シミュレーション装置を提供する。【解決手段】ワークに液滴を吐出して前記ワーク上に描画される描画パターンの描画イメージを表示する描画シミュレーターであって、前記描画パターンを描画するための複数の描画条件を含む描画情報が格納された描画情報格納部と、前記複数の描画情報から選択された前記描画条件に基づいて、前記ワークに描画される前記描画パターンの前記描画イメージを表示部に表示させる制御部と、を備えた。【選択図】図３
2013141636.tif 000002
【特許請求の範囲】
【請求項１】
ワークに液滴を吐出して前記ワーク上に描画される描画パターンの描画イメージを表示する描画シミュレーターであって、
前記描画パターンを描画するための複数の描画条件を含む描画情報が格納された描画情報格納部と、
前記複数の描画情報から選択された前記描画条件に基づいて、前記ワークに描画される前記描画パターンの前記描画イメージを表示部に表示させる制御部と、を備えたことを特徴とする描画シミュレーター。
【請求項２】
請求項１に記載の描画シミュレーターにおいて、
前記描画パターンに関する規格条件を含む規格情報が格納された規格情報格納部を有し、
前記制御部では、
前記規格条件に基づき、前記表示部に表示された前記描画イメージが前記規格条件を満たすか否かを判断することを特徴とする描画シミュレーター。
【請求項３】
請求項２に記載の描画シミュレーターにおいて、
前記制御部では、
前記描画イメージが前記規格条件を満たさない場合には、前記描画イメージにおける前記規格条件を満たさない箇所を特定して表示させることを特徴とする描画シミュレーター。
【請求項４】
請求項１〜請求項３のいずれか一項に記載の描画シミュレーターと、
前記描画シミュレーターの結果に基づいて、ワークに向けて液滴を吐出する吐出部と、を備えたことを特徴とする液滴吐出装置。
【発明の詳細な説明】
【技術分野】
【０００１】
本発明は、描画シミュレーター、液滴吐出装置に関する。
【背景技術】
【０００２】
従来、インクジェットヘッドの吐出口からインクを吐出して被印刷物に塗着させ、被印刷物に塗着されたインクが滲む前に光照射等により当該インクを硬化させる電子部品の製造方法が知られている（例えば、特許文献１参照）。
【先行技術文献】
【特許文献】
【０００３】
【特許文献１】特開２００３−８０６８７号公報
【発明の概要】
【発明が解決しようとする課題】
【０００４】
しかしながら、上記の方法では、例えば、被印刷物の材質の変更や被印刷物に描画する描画パターン等が変更された場合には、その都度、被印刷物にテスト描画を実施する必要があり、作業効率が低下してしまう、という課題があった。
【課題を解決するための手段】
【０００５】
本発明は、上述の課題の少なくとも一部を解決するためになされたものであり、以下の形態または適用例として実現することが可能である。
【０００６】
［適用例１］本適用例にかかる描画シミュレーターは、ワークに液滴を吐出して前記ワーク上に描画される描画パターンの描画イメージを表示する描画シミュレーターであって、前記描画パターンを描画するための複数の描画条件を含む描画情報が格納された描画情報格納部と、前記複数の描画情報から選択された前記描画条件に基づいて、前記ワークに描画される前記描画パターンの前記描画イメージを表示部に表示させる制御部と、を備えたことを特徴とする。
【０００７】
この構成によれば、複数の描画情報から選択された描画条件による描画イメージが表示部に表示される。従って、表示部で所望の描画イメージを取得することができる。これにより、実際にワークに対して描画する必要がなくなり、作業効率を向上させることができる。
【０００８】
［適用例２］上記適用例にかかる描画シミュレーターは、前記描画パターンに関する規格条件を含む規格情報が格納された規格情報格納部を有し、前記制御部では、前記規格条件に基づき、前記表示部に表示された前記描画イメージが前記規格条件を満たすか否かを判断することを特徴とする。
【０００９】
この構成によれば、例えば、表示された描画イメージに対する品質面の確認を容易に行うことができる。これにより、実際に描画されたワークに対して品質評価を省略させることが可能となり、さらに作業効率を向上させることができる。
【００１０】
［適用例３］上記適用例にかかる描画シミュレーターの前記制御部では、前記描画イメージが前記規格条件を満たさない場合には、前記描画イメージにおける前記規格条件を満たさない箇所を特定して表示させることを特徴とする。
【００１１】
この構成によれば、表示部上において不具合箇所を容易に確認することができる。
【００１２】
［適用例４］本適用例にかかる液滴吐出装置は、上記の描画シミュレーターと、前記描画シミュレーターの結果に基づいて、ワークに向けて液滴を吐出する吐出部と、を備えたことを特徴とする。
【００１３】
この構成によれば、複数の描画情報から選択された描画条件による所望の描画イメージに基づいて、ワークに対して描画することができる。これにより、ワークに対する描画イメージの形成から描画パターンの形成までの作業を効率よく行うことができる。
【図面の簡単な説明】
【００１４】
【図１】液滴吐出装置の構成を示す概略図。
【図２】液滴吐出装置の制御部の構成を示すブロック図。
【図３】表示部に表示される描画イメージの一例を説明する説明図。
【図４】表示部に表示される描画イメージの他の例を説明する説明図。
【発明を実施するための形態】
【００１５】
以下、本発明の実施形態について、図面を参照して説明する。なお、以下の各図においては、各部材等を認識可能な程度の大きさにするため、各部材等の尺度を実際とは異ならせて示している。
【００１６】
まず、液滴吐出装置の構成について説明する。液滴吐出装置は、描画シミュレーター装置と、描画シミュレーターの結果に基づいて、ワークに向けて液滴を吐出する吐出部とを備えたものである。また、描画シミュレーターは、ワークに液滴を吐出してワーク上に形成される描画パターンの描画イメージをシミュレートする描画シミュレーターであって、ワークに形成される描画パターンに関する複数の描画条件を含む描画情報が格納された描画情報格納部と、複数の描画情報から選択された描画条件に基づいて、ワークに描画される描画パターンの描画イメージを表示部に表示させる制御部を備えたものである。以下、具体的に説明する。
【００１７】
図１は、液滴吐出装置の構成を示す概略図である。また、図２は、液滴吐出装置の制御部の構成を示すブロック図である。図１に示すように、液滴吐出装置１は、吐出部２と、描画シミュレーター３と、制御部１０等を備えている。
【００１８】
吐出部２は、吐出ヘッド２１とワークＷを載置するステージ２２等を備えている。ここで、ワークＷは、例えば、半導体装置、ＩＣチップの他、プラスチックフィルム、綿布、麻布、絹布等の織布（布帛）や紙等を適用することができる。
【００１９】
吐出ヘッド２１は、例えば、圧力発生手段としての圧電素子を備えたインクジェットヘッドである。この場合、圧電素子を駆動させ、これによって発生する圧力により、機能液を液滴Ｄとして吐出させることが可能となる。なお、圧力発生手段として、振動板と電極との間に静電気を発生させて、静電気力によって振動板を変形させてノズルから液滴を吐出させるいわゆる静電式アクチュエーターなどを使用してもよい。さらには、発熱体を用いてノズル内に泡を発生させ、その泡によって機能液を液滴として吐出させる構成を有する吐出ヘッドであってもよい。
【００２０】
また、本実施形態では、機能液としての紫外線硬化型インクを用いており、吐出された紫外線硬化型インクに紫外線を照射する紫外線照射部２３を備えている。紫外線照射部２３は、紫外線光源を備え、紫外線光源から紫外線が照射される。なお、紫外線光源は、例えば、ＬＥＤ、高圧水銀ランプ、メタルハライドランプ等適宜適用することができる。
【００２１】
次に、描画シミュレーター３の構成について説明する。本実施形態の描画シミュレーター３は、制御部１０と、制御部１０と電気的に接続された表示部３０を備えている。制御部１０は、図２に示すように、ＣＰＵ（演算処理部）１１とメモリー１２を有している。メモリー１２には、プログラムソフト１３と描画情報格納部１４と規格情報格納部１５等を備えている。
【００２２】
描画情報格納部１４は、ワークＷ上に描画パターンを描画するための複数の描画条件が含まれている。描画条件としては、例えば、ワークＷの材質、液滴Ｄの吐出量、単層あるいは積層して描画する描画方法、描画前のワークＷの表面処理条件、文字サイズ条件、フォント条件等が含まれる。表面処理条件としては、例えば、ワークＷに紫外線照射する場合には、紫外線照射強度、紫外線照射時間、また、ワークＷの加熱温度、加熱時間等が挙げられる。なお、描画情報格納部１４には、例えば、予め種々の実験や評価等の結果に基づく描画条件が格納されている。
【００２３】
規格情報格納部１５は、ワークＷに形成される描画パターンに関する規格条件が含まれている。規格条件としては、例えば、描画パターンのパターン幅規格、描画パターンの厚み規格、密着性（ピーリング、耐溶剤性等）規格等が含まれる。これらの規格情報は、ワークＷの材質毎に設定される。
【００２４】
図２に示すように、本実施形態では、制御部１０には入力部４０が接続されており、入力部４０において画像条件や規格条件を入力し、プログラムソフト１３に基づいてＣＰＵ１１にて演算し、演算結果としての描画イメージを表示部３０に表示させるように構成されている。
【００２５】
次に、描画シミュレーター３の動作例について説明する。なお、本実施形態では、半導体装置（エポキシ樹脂）上に描画パターン「ＡＢＣ」を描画する場合の描画シミュレーター３の動作例について説明する。図３は、表示部に表示される描画イメージの一例を説明する説明図である。
【００２６】
例えば、図３（ａ）は、描画情報格納部１４から描画条件を選択する。本実施形態では、ワークＷの材質の条件の中から「エポキシ樹脂」を選択するとともに、液滴Ｄの吐出量の条件の中から「Ｑ１」を選択し、入力部４０から入力設定してシュミレーションしたものである。図３（ａ）に示すように、表示部３０の描画イメージ欄３０ａに設定された条件に対応する描画イメージＩＭ１が表示される。なお、表示部３０には補助表示欄３０ｂが配置され、現在の描画条件等を表示させることができる。
【００２７】
また、例えば、図３（ｂ）は、描画情報格納部１４から液滴Ｄの吐出量「Ｑ２」と設定してシュミレーションしたものである。なお、吐出量「Ｑ２」は吐出量「Ｑ１」よりも吐出量が多くなるように設定したものである。そして、図３（ｂ）に示すように、表示部３０の描画イメージ欄３０ａに設定された条件に対応する描画イメージＩＭ２が表示される。この場合、描画イメージＩＭ２は、描画イメージＩＭ１よりも線幅が広くなるようにイメージ表示される。
【００２８】
上記の要領で、任意の描画条件を選択することにより、選択された描画条件に対応した描画イメージＩＭが表示される。
【００２９】
図４は、表示部に表示される描画イメージの他の例を説明する説明図である。本実施形態の描画シミュレーター３では、表示部３０の描画イメージ欄３０ａに表示された描画イメージＩＭが規格条件を満たすか否かを判断する。例えば、制御部１０により合否の判断がなされ、例えば、補助表示欄３０ｂに規格条件に対して「合格」または「ＯＫ」或いは「不合格」または「ＮＧ」等の表示されるように構成されている。
【００３０】
さらに、本実施形態の描画シミュレーター３では、表示部３０に表示された描画イメージＩＭが規格条件を満たさない場合には、描画イメージＩＭにおける規格条件を満たさない箇所を表示部に表示させる。具体的には、図４に示すように、描画イメージ欄３０ａに表示された描画イメージＩＭ３において規格条件を満たさない箇所Ｓ１を特定表示Ｐ１として特定表示する。
【００３１】
なお、規格条件を満たさない場合には、描画条件を見直し（設定し直し）、再度入力設定して、シミュレーションを実施すればよい。
【００３２】
そして、本実施形態の液滴吐出装置１では、描画シミュレーター３の結果に基づいて、当該結果に対応する描画条件を用いて、ワークＷに液滴Ｄを吐出させ、ワークＷ上に描画パターンを形成する。
【００３３】
以上、上記実施形態によれば、以下の効果を得ることができる。
【００３４】
描画情報格納部１４に格納ざれた複数の描画情報から選択された描画条件による描画イメージＩＭが表示部３０に表示される。従って、表示部３０で所望の描画イメージＩＭを取得することができる。すなわち、効率よく描画イメージＩＭをシミュレーションする事ができる。これにより、実際にワークＷに対して描画する必要がなくなるので、作業効率を向上させることができる。
【００３５】
なお、本発明は上述した実施形態に限定されず、上述した実施形態に種々の変更や改良などを加えることが可能である。変形例を以下に述べる。
【００３６】
（変形例１）本実施形態の液滴吐出装置１では、吐出部２と描画シミュレーター３とを一つに構成したが、これに限定されない。例えば、描画シミュレーター３を別個に設置してもよい。この場合、描画シミュレーター３で様々なシミュレーションを行い、適正な描画イメージＩＭに対応する描画条件に基づいて、液滴吐出装置１でワークＷに対して描画を実施させてもよい。このようにすれば、適正なワークへの描画条件の選定作業の効率を高めることができる。
【００３７】
（変形例２）本実施形態では、描画条件として、ワークＷの材質と吐出量を選択したが、これに限定されない。例えば、上記の他、描画前のワークＷの表面処理条件から選択したり、或いは描画条件の中から複数の条件を組み合わせて設定してもよい。このようにすれば、さらに詳細に描画イメージのシミュレーションを行うことができる。
【００３８】
（変形例３）本実施形態では、ワークＷとして半導体装置（エポキシ樹脂）を例にして描画イメージのシミュレーションについて説明したが、これに限定されない。例えば、ワークＷとして、フィルムや布等でシミュレーションを行ってもよい。このようにしても、上記同様の効果を得ることができる。
【００３９】
（変形例４）本実施形態において説明した描画条件以外の描画条件を取得した場合には、新たに取得した描画条件を描画情報格納部１４に格納する。このようにすれば、さらに詳細に描画イメージのシミュレーションを行うことができる。
【符号の説明】
【００４０】
１…液滴吐出装置、２…吐出部、３…描画シミュレーター、１０…制御部、１１…ＣＰＵ、１２…メモリー、１３…プログラムソフト、１４…描画情報格納部、１５…規格情報格納部、２１…吐出ヘッド、２２…ステージ、２３…紫外線照射部、３０…表示部、３０ａ…描画イメージ欄、３０ｂ…補助表示欄、４０…入力部。
【図１】
2013141636.tif 000003
【図２】
2013141636.tif 000004
【図３】
2013141636.tif 000005
【図４】
2013141636.tif 000006